(57)【特許請求の範囲】
【請求項１】
無線通信システムにおいて基地局によりダウンリンクサブフレームを有するＴＤＤ（ｔｉｍｅ  ｄｉｖｉｓｉｏｎ  ｄｕｐｌｅｘ）無線フレームを介してチャネル状態情報（ＣＳＩ）参照信号（ＲＳ）を送信する方法であって、前記ダウンリンクサブフレームは、２個の連続するスロットを含み、各スロットは、６個の連続するＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、
前記方法は、
８個のアンテナポートのそれぞれに対する８個のＣＳＩ  ＲＳを生成することと、
第１、第２及び第３のリソース要素（ＲＥ）セットから１つのＲＥセットを選択することであって、前記第１のＲＥセットは、前記２個の連続するスロットの第２のスロット内の２番目及び３番目のＯＦＤＭシンボルの１番目、４番目、７番目及び１０番目の副搬送波のＲＥを含み、前記第２のＲＥセットは、前記２個の連続するスロットの前記第２のスロット内の前記２番目及び３番目のＯＦＤＭシンボルの２番目、５番目、８番目及び１１番目の副搬送波のＲＥを含み、前記第３のＲＥセットは、前記２個の連続するスロットの前記第２のスロット内の前記２番目及び３番目のＯＦＤＭシンボルの３番目、６番目、９番目及び１２番目の副搬送波のＲＥを含む、ことと、
前記８個のＣＳＩ  ＲＳを、前記選択された１つのＲＥセット内のＲＥにマッピングすることであって、前記８個のＣＳＩ  ＲＳのうちの２つのＣＳＩ  ＲＳは、ＣＤＭ（ｃｏｄｅ  ｄｉｖｉｓｉｏｎ  ｍｕｌｔｉｐｌｅｘｉｎｇ）で多重化することにより１２個の副搬送波のうちの１つの副搬送波のＲＥにマッピングされる、ことと、
前記８個のＣＳＩ  ＲＳを送信することと
を含む、方法。
【請求項２】
無線通信システムにおいてＵＥ（ｕｓｅｒ  ｅｑｕｉｐｍｅｎｔ）により基地局からダウンリンクサブフレームを有するＴＤＤ（ｔｉｍｅ  ｄｉｖｉｓｉｏｎ  ｄｕｐｌｅｘ）無線フレームを介してチャネル状態情報（ＣＳＩ）参照信号（ＲＳ）を受信する方法であって、前記ダウンリンクサブフレームは、２個の連続するスロットを含み、各スロットは、６個の連続するＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、
前記方法は、
８個のアンテナポートのそれぞれに対する８個のＣＳＩ  ＲＳを受信することと、
前記受信された８個のＣＳＩ  ＲＳを処理することと、
前記処理された８個のＣＳＩ  ＲＳに基づいてチャネル推定を実行することと
を含み、
前記受信された８個のＣＳＩ  ＲＳは、前記基地局により、第１、第２及び第３のリソース要素（ＲＥ）セットから選択された１つのＲＥセットにマッピングされ、
前記第１のＲＥセットは、前記２個の連続するスロットの第２のスロット内の２番目及び３番目のＯＦＤＭシンボルの１番目、４番目、７番目及び１０番目の副搬送波のＲＥを含み、
前記第２のＲＥセットは、前記２個の連続するスロットの前記第２のスロット内の前記２番目及び３番目のＯＦＤＭシンボルの２番目、５番目、８番目及び１１番目の副搬送波のＲＥを含み、
前記第３のＲＥセットは、前記２個の連続するスロットの前記第２のスロット内の前記２番目及び３番目のＯＦＤＭシンボルの３番目、６番目、９番目及び１２番目の副搬送波のＲＥを含み、
前記８個のＣＳＩ  ＲＳのうちの２つのＣＳＩ  ＲＳは、ＣＤＭ（ｃｏｄｅ  ｄｉｖｉｓｉｏｎ  ｍｕｌｔｉｐｌｅｘｉｎｇ）で多重化することにより１２個の副搬送波のうちの１つの副搬送波のＲＥにマッピングされる、方法。
【請求項３】
前記第１のＲＥセットが選択される場合に、
前記８個のＣＳＩ  ＲＳのうちの第１及び第２のＣＳＩ  ＲＳがＣＤＭにより前記１番目の副搬送波のＲＥにマッピングされ、
前記８個のＣＳＩ  ＲＳのうちの第３及び第４のＣＳＩ  ＲＳがＣＤＭにより前記４番目の副搬送波のＲＥにマッピングされ、
前記８個のＣＳＩ  ＲＳのうちの第５及び第６のＣＳＩ  ＲＳがＣＤＭにより前記７番目の副搬送波のＲＥにマッピングされ、
前記８個のＣＳＩ  ＲＳのうちの第７及び第８のＣＳＩ  ＲＳがＣＤＭにより前記１０番目の副搬送波のＲＥにマッピングされる、請求項１に記載の方法。
【請求項４】
前記第２のＲＥセットが選択される場合に、
前記８個のＣＳＩ  ＲＳのうちの第１及び第２のＣＳＩ  ＲＳがＣＤＭにより前記２番目の副搬送波のＲＥにマッピングされ、
前記８個のＣＳＩ  ＲＳのうちの第３及び第４のＣＳＩ  ＲＳがＣＤＭにより前記５番目の副搬送波のＲＥにマッピングされ、
前記８個のＣＳＩ  ＲＳのうちの第５及び第６のＣＳＩ  ＲＳがＣＤＭにより前記８番目の副搬送波のＲＥにマッピングされ、
前記８個のＣＳＩ  ＲＳのうちの第７及び第８のＣＳＩ  ＲＳがＣＤＭにより前記１１番目の副搬送波のＲＥにマッピングされる、請求項１に記載の方法。
【請求項５】
前記第３のＲＥセットが選択される場合に、
前記８個のＣＳＩ  ＲＳのうちの第１及び第２のＣＳＩ  ＲＳがＣＤＭにより前記３番目の副搬送波のＲＥにマッピングされ、
前記８個のＣＳＩ  ＲＳのうちの第３及び第４のＣＳＩ  ＲＳがＣＤＭにより前記６番目の副搬送波のＲＥにマッピングされ、
前記８個のＣＳＩ  ＲＳのうちの第５及び第６のＣＳＩ  ＲＳがＣＤＭにより前記９番目の副搬送波のＲＥにマッピングされ、
前記８個のＣＳＩ  ＲＳのうちの第７及び第８のＣＳＩ  ＲＳがＣＤＭにより前記１２番目の副搬送波のＲＥにマッピングされる、請求項１に記載の方法。
【発明の詳細な説明】
【技術分野】
【０００１】
本発明は、無線通信に関し、より詳しくは、無線通信システムにおける参照信号送信方法及び装置に関する。
【背景技術】
【０００２】
最近、活発に研究されている次世代マルチメディア無線通信システムは、初期の音声中心のサービスを超え、映像、無線データなどの多様な情報を処理して送信することができるシステムが要求されている。現在、３世帯無線通信システムに続いて開発されている４世帯無線通信は、ダウンリンク１Ｇｂｐｓ（Ｇｉｇａｂｉｔｓ  ｐｅｒ  ｓｅｃｏｎｄ）及びアップリンク５００Ｍｂｐｓ（Ｍｅｇａｂｉｔｓ  ｐｅｒ  ｓｅｃｏｎｄ）の高速のデータサービスをサポートすることを目標にする。無線通信システムの目的は、多数のユーザが位置と移動性に関係なしに信頼することができる（ｒｅｌｉａｂｌｅ）通信が可能にすることである。然しながら、無線チャネル（ｗｉｒｅｌｅｓｓ  ｃｈａｎｎｅｌ）は、パスロス（ｐａｔｈ  ｌｏｓｓ）、雑音（ｎｏｉｓｅ）、多重経路（ｍｕｌｔｉｐａｔｈ）によるフェーディング（ｆａｄｉｎｇ）現象、シンボル間干渉（ＩＳＩ；Ｉｎｔｅｒ−ｓｙｍｂｏｌ  Ｉｎｔｅｒｆｅｒｅｎｃｅ）または端末の移動性によるドップラ効果（Ｄｏｐｐｌｅｒ  ｅｆｆｅｃｔ）などの非理想的な特性がある。無線チャネルの非理想的特性を克服し、無線通信の信頼度（ｒｅｌｉａｂｉｌｉｔｙ）を高めるために多様な技術が開発されている。
【０００３】
信頼することができる高速のデータサービスをサポートするための技術としてＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、ＭＩＭＯ（Ｍｕｌｔｉｐｌｅ  Ｉｎｐｕｔ  Ｍｕｌｔｉｐｌｅ  Ｏｕｔｐｕｔ）などがある。ＯＦＤＭは、低い複雑度でシンボル間干渉効果を減殺させることができる３世帯以後考慮されているシステムである。ＯＦＤＭは、直列に入力されるシンボルをＮ（Ｎは、自然数）個の並列シンボルに変換し、各々分離されたＮ個の副搬送波（ｓｕｂｃａｒｒｉｅｒ）に載せて送信する。副搬送波は、周波数次元で直交性を維持するようにする。移動通信市場は、既存ＣＤＭＡ（Ｃｏｄｅ  Ｄｉｖｉｓｉｏｎ  Ｍｕｌｔｉｐｌｅ  Ａｃｃｅｓｓ）システムからＯＦＤＭベースのシステムに規格が変わることと予想される。ＭＩＭＯ技術は、多重送信アンテナと多重受信アンテナを使用してデータの送受信効率を向上させる。ＭＩＭＯ技術には、空間多重化（ｓｐａｔｉａｌ  ｍｕｌｔｉｐｌｅｘｉｎｇ）、送信ダイバーシティ（ｔｒａｎｓｍｉｔ  ｄｉｖｅｒｓｉｔｙ）、ビーム形成（ｂｅａｍｆｏｒｍｉｎｇ）などがある。受信アンテナ数と送信アンテナ数によるＭＩＭＯチャネル行列は、複数の独立チャネルに分解されることができる。各々の独立チャネルをレイヤ（ｌａｙｅｒ）またはストリーム（ｓｔｒｅａｍ）という。レイヤの個数をランク（ｒａｎｋ）という。
【０００４】
無線通信システムではデータの送／受信、システム同期獲得、チャネル情報フィードバックなどのためにアップリンクチャネルまたはダウンリンクチャネルを推定する必要がある。無線通信システム環境では多重経路時間遅延のためフェーディングが発生するようになる。フェーディングによる急激な環境変化により発生する信号の歪曲を補償して送信信号を復元する過程をチャネル推定という。また、端末が属するセル或いは他のセルに対するチャネル状態（ｃｈａｎｎｅｌ  ｓｔａｔｅ）を測定する必要がある。チャネル推定またはチャネル状態測定のために、一般的に送受信機が相互間に知っている参照信号（ＲＳ；Ｒｅｆｅｒｅｎｃｅ  Ｓｉｇｎａｌ）を用いてチャネル推定を実行するようになる。
【０００５】
参照信号送信に使われる副搬送波を参照信号副搬送波といい、データ送信に使われるリソース要素をデータ副搬送波という。ＯＦＤＭシステムで、参照信号は、全ての副搬送波に割り当てる方式とデータ副搬送波間に割り当てる方式とがある。参照信号を全ての副搬送波に割り当てる方式は、チャネル推定性能の利得を得るためにプリアンブル信号のように参照信号のみからなる信号を用いる。これを使用する場合、一般的に参照信号の密度が高いため、データ副搬送波間に参照信号を割り当てる方式に比べてチャネル推定性能が改善されることができる。然しながら、データの送信量が減少されるため、データの送信量を増大させるためにはデータ副搬送波間に参照信号を割り当てる方式を使用するようになる。このような方法を使用する場合、参照信号の密度が減少するため、チャネル推定性能の劣化が発生するようになり、これを最小化することができる適切な配置が要求される。
【０００６】
受信機は、参照信号の情報を知っているため、受信された信号でこれを分けてチャネルを推定することができ、推定されたチャネル値を補償して送信端で送ったデータを正確に推定することができる。送信機で送る参照信号をｐ、参照信号が送信中に経るようになるチャネル情報をｈ、受信機で発生する列雑音をｎ、受信機で受信された信号をｙとすると、ｙ＝ｈ・ｐ＋ｎのように示すことができる。この時、参照信号ｐは、受信機が既に知っているため、ＬＳ（Ｌｅａｓｔ  Ｓｑｕａｒｅ）方式を用いる場合、数式１のようにチャネル情報
【０００７】
【化１】
0005886747.tif 000002
を推定することができる。
【０００８】
【数１】
0005886747.tif 000003
この時、参照信号ｐを用いて推定したチャネル推定値
【０００９】
【化２】
0005886747.tif 000004
は、
【００１０】
【化３】
0005886747.tif 000005
値に応じてその正確度が決定されるようになる。従って、正確なｈ値の推定のためには、
【００１１】
【化４】
0005886747.tif 000006
が０に収束しなければならず、このためには多くの個数の参照信号を用いてチャネルを推定して
【００１２】
【化５】
0005886747.tif 000007
の影響を最小化しなければならない。優秀なチャネル推定性能のための多様なアルゴリズムが存在することができる。
【００１３】
３ＧＰＰ  ＬＴＥ−Ａでチャネル推定のためのＣＳＩ（Ｃｈａｎｎｅｌ  Ｓｔａｔｅ  Ｉｎｆｏｒｍａｔｉｏｎ）参照信号（ＲＳ）が存在する。ＣＳＩ−ＲＳは、複数のレイヤの各々に対して送信されることができる。一方、拡張（ｅｘｔｅｎｄｅｄ）ＣＰ（Ｃｙｃｌｉｃ  Ｐｒｅｆｉｘ）構造のサブフレームは、使用することができるＯＦＤＭシンボルの個数が少なく、これによってＣＳＩ−ＲＳがマッピングされることができるＯＦＤＭシンボルの個数も比較的少ない。これによって複数のセルでＣＳＩ−ＲＳを送信する時、互いに衝突が発生する可能性がある。従って、拡張ＣＰ構造のサブフレームでチャネル推定性能を向上させるためのＣＳＩ−ＲＳ送信方法が要求される。
【発明の概要】
【発明が解決しようとする課題】
【００１４】
本発明の技術的課題は、無線通信システムにおける参照信号送信方法及び装置を提供することである。
【課題を解決するための手段】
【００１５】
一態様において、無線通信システムにおける基地局による参照信号送信方法が提供される。前記参照信号送信方法は、複数のレイヤの各々に対するＣＳＩ（Ｃｈａｎｎｅｌ  Ｓｔａｔｅ  Ｉｎｆｏｒｍａｔｉｏｎ）参照信号（ＲＳ；Ｒｅｆｅｒｅｎｃｅ  Ｓｉｇｎａｌ）を生成し、前記複数のＣＳＩ−ＲＳをサブフレーム（ｓｕｂｆｒａｍｅ）内に複数のリソース要素（ＲＥ；Ｒｅｓｏｕｒｃｅ  Ｅｌｅｍｅｎｔ）で構成されるリソース要素セットにマッピングし、前記複数のＣＳＩ−ＲＳがマッピングされたサブフレームを送信することを含み、前記リソース要素セットを構成する複数のリソース要素は、隣接した２個のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル内で一定の副搬送波間隔に配置されたリソース要素であり、前記サブフレームは、１２個のＯＦＤＭシンボルを含む拡張（ｅｘｔｅｎｄｅｄ）ＣＰ（Ｃｙｃｌｉｃ  Ｐｒｅｆｉｘ）構造であることを特徴とする。前記リソース要素セットに含まれるリソース要素は、３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ−Ｔｅｒｍ  Ｅｖｏｌｕｔｉｏｎ）ｒｅｌ−８のＣＲＳ（Ｃｅｌｌ−ｓｐｅｃｆｉｃ  Ｒｅｆｅｒｅｎｃｅ  Ｓｉｇｎａｌ）及び３ＧＰＰ  ＬＴＥ−Ａ（ＬＴＥ−ａｄｖａｎｃｅｄ）の端末特定参照信号がマッピングされないリソース要素であり、前記３ＧＰＰ  ＬＴＥ  ｒｅｌ−８のＣＲＳは、アンテナポート０及び１に対するＣＲＳである。前記リソース要素セットは、互いに異なる複数のリソース要素セットの中から選択されたいずれか一つである。前記互いに異なる複数のリソース要素セットの個数は、７個である。前記リソース要素セットは、セルＩＤ（ｃｅｌｌ  ＩＤ）に基づいて互いに異なる複数のリソース要素セットの中から選択されたいずれか一つである。前記複数のＣＳＩ−ＲＳのうち、リソース要素セット内で同じリソース要素にマッピングされたＣＳＩ−ＲＳは、時間領域でＣＤＭ（Ｃｏｄｅ  Ｄｉｖｉｓｉｏｎ  Ｍｕｌｔｉｐｌｅｘｉｎｇ）方式に多重化される。長さが２である直交シーケンス（ｏｒｔｈｏｇｏｎａｌ  ｓｅｑｕｅｎｃｅ）に基づいて前記ＣＤＭ方式に多重化される。前記隣接した２個のＯＦＤＭシンボルは、５番目及び６番目のＯＦＤＭシンボル、又は８番目及び９番目のＯＦＤＭシンボル、又は１１番目及び１２番目のＯＦＤＭシンボルである。前記一定の副搬送波間隔は、３副搬送波間隔である。
【００１６】
他の態様において、無線通信システムにおける端末によるチャネル推定方法が提供される。前記チャネル推定方法は、複数のレイヤの各々に対するＣＳＩ−ＲＳを受信し、前記受信した複数のＣＳＩ−ＲＳを処理してチャネルを推定することを含み、前記複数のＣＳＩ−ＲＳは、サブフレーム内に複数のリソース要素で構成されるリソース要素セットにマッピングされて送信され、前記リソース要素セットを構成する複数のリソース要素は、隣接した２個のＯＦＤＭシンボル内で３副搬送波間隔に配置されたリソース要素であり、前記サブフレームは、１２個のＯＦＤＭシンボルを含む拡張ＣＰ構造であることを特徴とする。
【００１７】
他の態様において、参照信号送信装置が提供される。前記参照信号送信装置は、サブフレームを送信するＲＦ（Ｒａｄｉｏ  Ｆｒｅｑｕｅｎｃｙ）部、及び前記ＲＦ部と連結されるプロセスを含み、前記プロセッサは、複数のレイヤの各々に対するＣＳＩ−ＲＳを生成し、前記複数のＣＳＩ−ＲＳをサブフレーム内に複数のリソース要素で構成されるリソース要素セットにマッピングするように構成され、前記リソース要素セットを構成する複数のリソース要素は、隣接した２個のＯＦＤＭシンボル内で３副搬送波間隔に配置されたリソース要素であり、前記サブフレームは、１２個のＯＦＤＭシンボルを含む拡張ＣＰ構造であることを特徴とする。
本発明は、例えば以下の項目を提供する。
（項目１）
無線通信システムにおける基地局による参照信号送信方法において、
複数のレイヤの各々に対するＣＳＩ（Ｃｈａｎｎｅｌ  Ｓｔａｔｅ  Ｉｎｆｏｒｍａｔｉｏｎ）参照信号（ＲＳ；Ｒｅｆｅｒｅｎｃｅ  Ｓｉｇｎａｌ）を生成し、
前記複数のＣＳＩ−ＲＳをサブフレーム（ｓｕｂｆｒａｍｅ）内に複数のリソース要素（ＲＥ；Ｒｅｓｏｕｒｃｅ  Ｅｌｅｍｅｎｔ）で構成されるリソース要素セットにマッピングし、
前記複数のＣＳＩ−ＲＳがマッピングされたサブフレームを送信することを含み、
前記リソース要素セットを構成する複数のリソース要素は、隣接した２個のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル内で一定の副搬送波間隔に配置されたリソース要素であり、
前記サブフレームは、１２個のＯＦＤＭシンボルを含む拡張（ｅｘｔｅｎｄｅｄ）ＣＰ（Ｃｙｃｌｉｃ  Ｐｒｅｆｉｘ）構造であることを特徴とする参照信号送信方法。
（項目２）
前記リソース要素セットに含まれるリソース要素は、３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ−Ｔｅｒｍ  Ｅｖｏｌｕｔｉｏｎ）ｒｅｌ−８のＣＲＳ（Ｃｅｌｌ−ｓｐｅｃｆｉｃ  Ｒｅｆｅｒｅｎｃｅ  Ｓｉｇｎａｌ）及び３ＧＰＰ  ＬＴＥ−Ａ（ＬＴＥ−ａｄｖａｎｃｅｄ）の端末特定参照信号がマッピングされないリソース要素であり、前記３ＧＰＰ  ＬＴＥ  ｒｅｌ−８のＣＲＳは、アンテナポート０及び１に対するＣＲＳであることを特徴とする項目１に記載の参照信号送信方法。
（項目３）
前記リソース要素セットは、互いに異なる複数のリソース要素セットの中から選択されたいずれか一つであることを特徴とする項目１に記載の参照信号送信方法。
（項目４）
前記互いに異なる複数のリソース要素セットの個数は、７個であることを特徴とする項目３に記載の参照信号送信方法。
（項目５）
前記リソース要素セットは、セルＩＤ（ｃｅｌｌ  ＩＤ）に基づいて互いに異なる複数のリソース要素セットの中から選択されたいずれか一つであることを特徴とする項目３に記載の参照信号送信方法。
（項目６）
前記複数のＣＳＩ−ＲＳのうち、リソース要素セット内で同じリソース要素にマッピングされたＣＳＩ−ＲＳは、時間領域でＣＤＭ（Ｃｏｄｅ  Ｄｉｖｉｓｉｏｎ  Ｍｕｌｔｉｐｌｅｘｉｎｇ）方式に多重化されることを特徴とする項目１に記載の参照信号送信方法。
（項目７）
長さが２である直交シーケンス（ｏｒｔｈｏｇｏｎａｌ  ｓｅｑｕｅｎｃｅ）に基づいて前記ＣＤＭ方式に多重化されることを特徴とする項目６に記載の参照信号送信方法。
（項目８）
前記隣接した２個のＯＦＤＭシンボルは、５番目及び６番目のＯＦＤＭシンボルであることを特徴とする項目１に記載の参照信号送信方法。
（項目９）
前記隣接した２個のＯＦＤＭシンボルは、８番目及び９番目のＯＦＤＭシンボルであることを特徴とする項目１に記載の参照信号送信方法。
（項目１０）
前記隣接した２個のＯＦＤＭシンボルは、１１番目及び１２番目のＯＦＤＭシンボルであることを特徴とする項目１に記載の参照信号送信方法。
（項目１１）
前記一定の副搬送波間隔は、３副搬送波間隔であることを特徴とする項目１に記載の参照信号送信方法。
（項目１２）
無線通信システムにおける端末によるチャネル推定方法において、
複数のレイヤの各々に対するＣＳＩ（Ｃｈａｎｎｅｌ  Ｓｔａｔｅ  Ｉｎｆｏｒｍａｔｉｏｎ）参照信号（ＲＳ；Ｒｅｆｅｒｅｎｃｅ  Ｓｉｇｎａｌ）を受信し、
前記受信した複数のＣＳＩ−ＲＳを処理してチャネルを推定することを含み、
前記複数のＣＳＩ−ＲＳは、サブフレーム（ｓｕｂｆｒａｍｅ）内に複数のリソース要素（ＲＥ；Ｒｅｓｏｕｒｃｅ  Ｅｌｅｍｅｎｔ）で構成されるリソース要素セットにマッピングされて送信され、
前記リソース要素セットを構成する複数のリソース要素は、隣接した２個のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル内で３副搬送波間隔に配置されたリソース要素であり、
前記サブフレームは、１２個のＯＦＤＭシンボルを含む拡張（ｅｘｔｅｎｄｅｄ）ＣＰ（Ｃｙｃｌｉｃ  Ｐｒｅｆｉｘ）構造であることを特徴とするチャネル推定方法。
（項目１３）
サブフレームを送信するＲＦ（Ｒａｄｉｏ  Ｆｒｅｑｕｅｎｃｙ）部；及び、
前記ＲＦ部と連結されるプロセス；を含み、
前記プロセッサは、
複数のレイヤの各々に対するＣＳＩ（Ｃｈａｎｎｅｌ  Ｓｔａｔｅ  Ｉｎｆｏｒｍａｔｉｏｎ）参照信号（ＲＳ；Ｒｅｆｅｒｅｎｃｅ  Ｓｉｇｎａｌ）を生成し、
前記複数のＣＳＩ−ＲＳをサブフレーム（ｓｕｂｆｒａｍｅ）内に複数のリソース要素（ＲＥ；Ｒｅｓｏｕｒｃｅ  Ｅｌｅｍｅｎｔ）で構成されるリソース要素セットにマッピングするように構成され、
前記リソース要素セットを構成する複数のリソース要素は、隣接した２個のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル内で３副搬送波間隔に配置されたリソース要素であり、
前記サブフレームは、１２個のＯＦＤＭシンボルを含む拡張（ｅｘｔｅｎｄｅｄ）ＣＰ（Ｃｙｃｌｉｃ  Ｐｒｅｆｉｘ）構造であることを特徴とする参照信号送信装置。
【発明の効果】
【００１８】
３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ−Ａ（Ｌｏｎｇ  Ｔｅｒｍ  Ｅｖｏｌｕｔｉｏｎ−Ａｄｖａｎｃｅｄ）のＣＳＩ（Ｃｈａｎｎｅｌ  Ｓｔａｔｅ  Ｉｎｆｏｒｍａｔｉｏｎ）参照信号（ｒｅｆｅｒｅｎｃｅ  ｓｉｇｎａｌ）がマッピングされることができるリソース要素の個数を増加させることによって、チャネル推定の性能を向上させることができる。
【図面の簡単な説明】
【００１９】
【図１】無線通信システムである。
【図２】３ＧＰＰ  ＬＴＥにおける無線フレーム（ｒａｄｉｏ  ｆｒａｍｅ）の構造を示す。
【図３】３ＧＰＰ  ＬＴＥにおけるＴＤＤ（Ｔｉｍｅ  Ｄｉｖｉｓｉｏｎ  Ｄｕｐｌｅｘ）無線フレーム構造を示す。
【図４】一つのダウンリンクスロットに対するリソースグリッド（ｒｅｓｏｕｒｃｅ  ｇｒｉｄ）の一例を示す。
【図５】ダウンリンクサブフレームの構造を示す。
【図６】アップリンクサブフレームの構造を示す。
【図７】ＣＲＳ構造の一例を示す。
【図８】ＣＲＳ構造の一例を示す。
【図９】ＣＲＳ構造の一例を示す。
【図１０】ＤＲＳ構造の一例を示す。
【図１１】ＤＲＳ構造の一例を示す。
【図１２】３ＧＰＰ  ＬＴＥ−Ａにおける端末特定参照信号構造の一例である。
【図１３】提案された発明によるＣＳＩ−ＲＳパターンの一例である。
【図１４】提案された発明によるＣＳＩ−ＲＳパターンの一例である。
【図１５】提案された発明によるＣＳＩ−ＲＳパターンの一例である。
【図１６】提案された発明によるＣＳＩ−ＲＳパターンの一例である。
【図１７】提案された参照信号送信方法の一実施例である。
【図１８】提案されたチャネル推定方法の一実施例である。
【図１９】本発明の実施例が具現される基地局及び端末を示すブロック図である。
【発明を実施するための形態】
【００２０】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などのような多様な無線通信システムに使われることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）で具現されることができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術で具現されることができる。ＯＦＤＭＡは、ＩＥＥＥ８０２．１１（Ｗｉ−Ｆｉ）、ＩＥＥＥ８０２．１６（ＷｉＭＡＸ）、ＩＥＥＥ８０２−２０、Ｅ−ＵＴＲＡ（Ｅｖｏｌｖｅｄ  ＵＴＲＡ）などのような無線技術で具現されることができる。ＩＥＥＥ８０２．１６ｍは、ＩＥＥＥ８０２．１６ｅの進化であり、ＩＥＥＥ８０２．１６ｅに基づいているシステムとの後方互換性（ｂａｃｋｗａｒｄ  ｃｏｍｐａｔｉｂｉｌｉｔｙ）を提供する。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）は、Ｅ−ＵＴＲＡ（Ｅｖｏｌｖｅｄ−ＵＭＴＳ  Ｔｅｒｒｅｓｔｒｉａｌ  Ｒａｄｉｏ  Ａｃｃｅｓｓ）を使用するＥ−ＵＭＴＳ（Ｅｖｏｌｖｅｄ  ＵＭＴＳ）の一部であり、ダウンリンクでＯＦＤＭＡを採用し、アップリンクでＳＣ−ＦＤＭＡを採用する。３ＧＰＰ  ＬＴＥ−Ａ（Ａｄｖａｎｃｅｄ）は、３ＧＰＰ  ＬＴＥの進化である。
【００２１】
説明を明確にするために、３ＧＰＰ  ＬＴＥ−Ａを中心に記述するが、本発明の技術的思想がこれに制限されるものではない。
【００２２】
図１は、無線通信システムである。
【００２３】
無線通信システム１０は、少なくとも一つの基地局（Ｂａｓｅ  Ｓｔａｔｉｏｎ；ＢＳ）１１を含む。各基地局１１は、特定の地理的領域（一般的にセルという）１５ａ、１５ｂ、１５ｃに対して通信サービスを提供する。また、セルは複数の領域（セクターという）に分けられることができる。端末（Ｕｓｅｒ  Ｅｑｕｉｐｍｅｎｔ；ＵＥ）１２は、固定されたり移動性を有することができ、ＭＳ（Ｍｏｂｉｌｅ  Ｓｔａｔｉｏｎ）、ＭＴ（Ｍｏｂｉｌｅ  Ｔｅｒｍｉｎａｌ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、無線機器（ｗｉｒｅｌｅｓｓ  ｄｅｖｉｃｅ）、ＰＤＡ（Ｐｅｒｓｏｎａｌ  Ｄｉｇｉｔａｌ  Ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）等、他の用語と呼ばれることもある。基地局１１は、一般的に端末１２と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語と呼ばれることもある。
【００２４】
端末は通常的に一つのセルに属し、端末が属するセルをサービングセル（ｓｅｒｖｉｎｇ  ｃｅｌｌ）という。サービングセルに対して通信サービスを提供する基地局をサービング基地局（ｓｅｒｖｉｎｇ  ＢＳ）という。無線通信システムは、セルラシステム（ｃｅｌｌｕｌａｒ  ｓｙｓｔｅｍ）であるため、サービングセルに隣接した他のセルが存在する。サービングセルに隣接した他のセルを隣接セル（ｎｅｉｇｈｂｏｒ  ｃｅｌｌ）という。隣接セルに対して通信サービスを提供する基地局を隣接基地局（ｎｅｉｇｈｂｏｒ  ＢＳ）という。サービングセル及び隣接セルは、端末を基準に相対的に決定される。
【００２５】
この技術は、ダウンリンク（ｄｏｗｎｌｉｎｋ）またはアップリンク（ｕｐｌｉｎｋ）に使われることができる。一般的に、ダウンリンクは基地局１１から端末１２への通信を意味し、アップリンクは端末１２から基地局１１への通信を意味する。ダウンリンクで、送信機は基地局１１の一部分であり、受信機は端末１２の一部分である。アップリンクで、送信機は端末１２の一部分であり、受信機は基地局１１の一部分である。
【００２６】
図２は、３ＧＰＰ  ＬＴＥにおける無線フレーム（ｒａｄｉｏ  ｆｒａｍｅ）の構造を示す。これは３ＧＰＰ（３ｒｄ  Ｇｅｎｅｒａｔｉｏｎ  Ｐａｒｔｎｅｒｓｈｉｐ  Ｐｒｏｊｅｃｔ）ＴＳ  ３６．２１１  Ｖ８．２．０（２００８−０３）“Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｃｈａｎｎｅｌｓ  ａｎｄ  ｍｏｄｕｌａｔｉｏｎ（Ｒｅｌｅａｓｅ  ８）”の４．１節を参照することができる。
【００２７】
図２を参照すると、無線フレームは１０個のサブフレーム（ｓｕｂｆｒａｍｅ）で構成され、一つのサブフレームは２個のスロット（ｓｌｏｔ）で構成される。無線フレーム内のスロットは＃０から＃１９までのスロット番号が付けられる。一つのサブフレームの送信にかかる時間をＴＴＩ（Ｔｒａｎｓｍｉｓｓｉｏｎ  Ｔｉｍｅ  Ｉｎｔｅｒｖａｌ）という。ＴＴＩは、データ送信のためのスケジューリング単位を意味する。例えば、一つの無線フレームの長さは１０ｍｓであり、一つのサブフレームの長さは１ｍｓであり、一つのスロットの長さは０．５ｍｓである。
【００２８】
一つのスロットは、時間領域（ｔｉｍｅ  ｄｏｍａｉｎ）で複数のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを含み、周波数領域で複数の副搬送波を含む。ＯＦＤＭシンボルは、３ＧＰＰ  ＬＴＥがダウンリンクでＯＦＤＭＡを使用するため、一つのシンボル区間（ｓｙｍｂｏｌ  ｐｅｒｉｏｄ）を表現するためのものであり、多重接続方式によって他の名称で呼ばれることもある。例えば、アップリンク多重接続方式にＳＣ−ＦＤＭＡが使われる場合、ＳＣ−ＦＤＭＡシンボルということができる。リソースブロック（ＲＢ；Ｒｅｓｏｕｒｃｅ  Ｂｌｏｃｋ）は、リソース割当単位であり、一つのスロットで複数の連続する副搬送波を含む。前記無線フレームの構造は一例に過ぎない。従って、無線フレームに含まれるサブフレームの個数やサブフレームに含まれるスロットの個数、またはスロットに含まれるＯＦＤＭシンボルの個数は多様に変更されることができる。３ＧＰＰ  ＬＴＥでは、ノーマル（ｎｏｒｍａｌ）サイクリックプレフィックス（ＣＰ；Ｃｙｃｌｉｃ  Ｐｒｅｆｉｘ）で一つのスロットは７個のＯＦＤＭシンボルを含み、拡張（ｅｘｔｅｎｄｅｄ）ＣＰで一つのスロットは６個のＯＦＤＭシンボルを含むと定義している。
【００２９】
図３は、３ＧＰＰ  ＬＴＥにおけるＴＤＤ（Ｔｉｍｅ  Ｄｉｖｉｓｉｏｎ  Ｄｕｐｌｅｘ）無線フレーム構造を示す。これは３ＧＰＰ  ＴＳ  ３６．２１１  Ｖ８．２．０（２００８−０３）“Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ（Ｒｅｌｅａｓｅ  ８）”の４．２節を参照することができる。一つの無線フレームは、１０ｍｓの長さを有し、５ｍｓの長さを有する二つの半フレーム（ｈａｌｆ−ｆｒａｍｅ）で構成される。また、一つの半フレームは、１ｍｓの長さを有する５個のサブフレームで構成される。
【００３０】
一つのサブフレームは、アップリンクサブフレーム（ＵＬ  ｓｕｂｆｒａｍｅ）、ダウンリンクサブフレーム（ＤＬ  ｓｕｂｆｒａｍｅ）、特殊サブフレーム（ｓｐｅｃｉａｌ  ｓｕｂｆｒａｍｅ）のうちいずれか一つに指定される。表１は、３ＧＰＰ  ＬＴＥ  ＴＤＤシステムでアップリンクサブフレームとダウンリンクサブフレームの配置による設定可能なフレームの構造を示す。表１で、‘Ｄ’はダウンリンクサブフレームを示し、‘Ｕ’はアップリンクサブフレームを示し、‘Ｓ’は特殊サブフレームを示す。
【００３１】
【表１】
0005886747.tif 000008
スイッチ点周期（ｓｗｉｔｃｈ−ｐｏｉｎｔ  ｐｅｒｉｏｄｉｃｉｔｙ）が５ｍｓである構成と１０ｍｓ構成が存在することができる。スイッチ点周期が５ｍｓである場合、特殊サブフレームは、一つのサブフレーム内の２個の半フレームの両方ともに存在することができる。スイッチ点周期が１０ｍｓである場合、特殊サブフレームは、最初の半フレームにのみ存在することができる。
【００３２】
特殊サブフレームは、アップリンクサブフレームとダウンリンクサブフレームとの間でアップリンク及びダウンリンクを分離させる特定周期（ｐｅｒｉｏｄ）である。一つの無線フレームには少なくとも一つの特殊サブフレームが存在し、特殊サブフレームは、ＤｗＰＴＳ（Ｄｏｗｎｌｉｎｋ  Ｐｉｌｏｔ  Ｔｉｍｅ  Ｓｌｏｔ）、ＧＰ（Ｇｕａｒｄ  Ｐｅｒｉｏｄ）、ＵｐＰＴＳ（Ｕｐｌｉｎｋ  Ｐｉｌｏｔ  Ｔｉｍｅ  Ｓｌｏｔ）を含む。ＤｗＰＴＳは、初期セル探索、同期化またはチャネル推定に使われる。ＵｐＰＴＳは、基地局でのチャネル推定と端末のアップリンク送信同期を合わせる時に使われる。ＧＰは、アップリンクとダウンリンクとの間にダウンリンク信号の多重経路遅延によりアップリンクで発生する干渉を除去するための保護区間である。表２は、特殊サブフレームの構成によるＤｗＰＴＳ、ＧＰ、及びＵｐＰＴＳの長さを示す。
【００３３】
【表２】
0005886747.tif 000009
サブフレーム０、サブフレーム５、及び特殊サブフレームのＤｗＰＴＳは、常にダウンリンク送信に割り当てられる。特殊サブフレームのＵｐＰＴＳと特殊サブフレームによるサブフレームは、常にアップリンク送信に割り当てられる。
【００３４】
図４は、一つのダウンリンクスロットに対するリソースグリッド（ｒｅｓｏｕｒｃｅ  ｇｒｉｄ）の一例を示す。
【００３５】
ダウンリンクスロットは、時間領域で複数のＯＦＤＭシンボルを含み、周波数領域でＮＲＢ個のリソースブロックを含む。ダウンリンクスロットに含まれるリソースブロックの数ＮＲＢは、セルで設定されるダウンリンク送信帯域幅（ｂａｎｄｗｉｄｔｈ）に従属する。例えば、３ＧＰＰ  ＬＴＥにおけるＮＲＢは、６０乃至１１０のうちいずれか一つである。一つのリソースブロックは、周波数領域で複数の副搬送波を含む。アップリンクスロットの構造も前記ダウンリンクスロットの構造と同様である。
【００３６】
リソースグリッド上の各要素（ｅｌｅｍｅｎｔ）をリソース要素（ｒｅｓｏｕｒｃｅ  ｅｌｅｍｅｎｔ）という。リソースグリッド上のリソース要素は、スロット内のインデックス対（ｐａｉｒ）（ｋ，l）により識別されることができる。ここで、ｋ（ｋ＝０，．．．，ＮＲＢ×１２−１）は周波数領域内の副搬送波インデックスであり、l（l＝０，．．．，６）は時間領域内のＯＦＤＭシンボルインデックスである。
【００３７】
ここで、一つのリソースブロックは、時間領域で７ＯＦＤＭシンボル、周波数領域で１２副搬送波で構成される７×１２リソース要素を含むことを例示的に記述するが、リソースブロック内のＯＦＤＭシンボルの数と副搬送波の数はこれに制限されるものではない。ＯＦＤＭシンボルの数と副搬送波の数は、ＣＰの長さ、周波数間隔（ｆｒｅｑｕｅｎｃｙ  ｓｐａｃｉｎｇ）などによって多様に変更されることができる。例えば、ノーマルＣＰの場合、ＯＦＤＭシンボルの数は７であり、拡張されたＣＰの場合、ＯＦＤＭシンボルの数は６である。一つのＯＦＤＭシンボルで副搬送波の数は、１２８、２５６、５１２、１０２４、１５３６、及び２０４８の中から一つを選定して使用することができる。
【００３８】
図５は、ダウンリンクサブフレームの構造を示す。
【００３９】
ダウンリンクサブフレームは時間領域で２個のスロットを含み、各スロットはノーマルＣＰで７個のＯＦＤＭシンボルを含む。サブフレーム内の第１のスロットの前方部の最大３ＯＦＤＭシンボル（１．４Ｍｈｚ帯域幅に対しては最大４ＯＦＤＭシンボル）は制御チャネルが割り当てられる制御領域（ｃｏｎｔｒｏｌ  ｒｅｇｉｏｎ）であり、残りのＯＦＤＭシンボルはＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域である。
【００４０】
ＰＤＣＣＨは、ＤＬ−ＳＣＨ（Ｄｏｗｎｌｉｎｋ−Ｓｈａｒｅｄ  Ｃｈａｎｎｅｌ）のリソース割当及び送信フォーマット、ＵＬ−ＳＣＨ（Ｕｐｌｉｎｋ  Ｓｈａｒｅｄ  Ｃｈａｎｎｅｌ）のリソース割当情報、ＰＣＨ上のページング情報、ＤＬ−ＳＣＨ上のシステム情報、ＰＤＳＣＨ上に送信されるランダムアクセス応答のような上位階層制御メッセージのリソース割当、任意のＵＥグループ内の個別ＵＥに対する送信パワー制御命令の集合、及びＶｏＩＰ（Ｖｏｉｃｅ  ｏｖｅｒ  Ｉｎｔｅｒｎｅｔ  Ｐｒｏｔｏｃｏｌ）の活性化などを運ぶことができる。複数のＰＤＣＣＨが制御領域内で送信されることができ、端末は複数のＰＤＣＣＨをモニタリングすることができる。ＰＤＣＣＨは、一つまたは複数個の連続的なＣＣＥ（Ｃｏｎｔｒｏｌ  Ｃｈａｎｎｅｌ  Ｅｌｅｍｅｎｔｓ）の集合（ａｇｇｒｅｇａｔｉｏｎ）上に送信される。ＣＣＥは、無線チャネルの状態による符号化率をＰＤＣＣＨに提供するために使われる論理的割当単位である。ＣＣＥは、複数のリソース要素グループ（ｒｅｓｏｕｒｃｅ  ｅｌｅｍｅｎｔ  ｇｒｏｕｐ）に対応される。ＣＣＥの数とＣＣＥにより提供される符号化率の関係によってＰＤＣＣＨのフォーマット及び可能なＰＤＣＣＨのビット数が決定される。
【００４１】
基地局は、端末に送ろうというＤＣＩに応じてＰＤＣＣＨフォーマットを決定し、制御情報にＣＲＣ（Ｃｙｃｌｉｃ  Ｒｅｄｕｎｄａｎｃｙ  Ｃｈｅｃｋ）を付ける。ＣＲＣにはＰＤＣＣＨの所有者（ｏｗｎｅｒ）や用途によって固有な識別子（ＲＮＴＩ；Ｒａｄｉｏ  Ｎｅｔｗｏｒｋ  Ｔｅｍｐｏｒａｒｙ  Ｉｄｅｎｔｉｆｉｅｒ）がマスキングされる。特定端末のためのＰＤＣＣＨの場合、端末の固有識別子、例えば、Ｃ−ＲＮＴＩ（Ｃｅｌｌ−ＲＮＴＩ）がＣＲＣにマスキングされることができる。または、ページングメッセージのためのＰＤＣＣＨの場合、ページング指示識別子、例えば、Ｐ−ＲＮＴＩ（Ｐａｇｉｎｇ−ＲＮＴＩ）がＣＲＣにマスキングされることができる。システム情報（ＳＩＢ；Ｓｙｓｔｅｍ  Ｉｎｆｏｒｍａｔｉｏｎ  Ｂｌｏｃｋ）のためのＰＤＣＣＨの場合、システム情報識別子、ＳＩ−ＲＮＴＩ（Ｓｙｓｔｅｍ  Ｉｎｆｏｒｍａｔｉｏｎ−ＲＮＴＩ）がＣＲＣにマスキングされることができる。端末のランダムアクセスプリアンブルの送信に対する応答であるランダムアクセス応答を指示するためにＲＡ−ＲＮＴＩ（Ｒａｎｄｏｍ  Ａｃｃｅｓｓ−ＲＮＴＩ）がＣＲＣにマスキングされることができる。
【００４２】
図６は、アップリンクサブフレームの構造を示す。
【００４３】
アップリンクサブフレームは、周波数領域で制御領域とデータ領域に分けられることができる。前記制御領域は、アップリンク制御情報が送信されるためのＰＵＣＣＨ（Ｐｈｙｓｉｃａｌ  Ｕｐｌｉｎｋ  Ｃｏｎｔｒｏｌ  Ｃｈａｎｎｅｌ）が割り当てられる。前記データ領域は、データが送信されるためのＰＵＳＣＨ（Ｐｈｙｓｉｃａｌ  Ｕｐｌｉｎｋ  Ｓｈａｒｅｄ  Ｃｈａｎｎｅｌ）が割り当てられる。単一搬送波（ｓｉｎｇｌｅ  ｃａｒｒｉｅｒ）の特性を維持するために、端末はＰＵＣＣＨとＰＵＳＣＨを同時に送信しない。
【００４４】
一つの端末に対するＰＵＣＣＨは、サブフレームでリソースブロック対（ＲＢ  ｐａｉｒ）で割り当てられる。リソースブロック対に属するリソースブロックは、第１のスロットと第２のスロットの各々で互いに異なる副搬送波を占める。ＰＵＣＣＨに割り当てられるリソースブロック対に属するリソースブロックが占める周波数は、スロット境界（ｓｌｏｔ  ｂｏｕｎｄａｒｙ）を基準に変更される。これをＰＵＣＣＨに割り当てられるＲＢ対がスロット境界で周波数がホッピングされた（ｆｒｅｑｕｅｎｃｙ−ｈｏｐｐｅｄ）という。端末がアップリンク制御情報を時間によって互いに異なる副搬送波を介して送信することによって、周波数ダイバーシティ利得を得ることができる。ｍは、サブフレーム内でＰＵＣＣＨに割り当てられたリソースブロック対の論理的な周波数領域位置を示す位置インデックスである。
【００４５】
ＰＵＣＣＨ上に送信されるアップリンク制御情報には、ＨＡＲＱ（Ｈｙｂｒｉｄ  Ａｕｔｏｍａｔｉｃ  Ｒｅｐｅａｔ  ｒｅＱｕｅｓｔ）ＡＣＫ（Ａｃｋｎｏｗｌｅｄｇｅｍｅｎｔ）／ＮＡＣＫ（Ｎｏｎ−ａｃｋｎｏｗｌｅｄｇｅｍｅｎｔ）、ダウンリンクチャネル状態を示すＣＱＩ（Ｃｈａｎｎｅｌ  Ｑｕａｌｉｔｙ  Ｉｎｄｉｃａｔｏｒ）、アップリンク無線リソース割当要求であるＳＲ（Ｓｃｈｅｄｕｌｉｎｇ  Ｒｅｑｕｅｓｔ）などがある。
【００４６】
ＰＵＳＣＨは、トランスポートチャネル（ｔｒａｎｓｐｏｒｔ  ｃｈａｎｎｅｌ）であるＵＬ−ＳＣＨ（Ｕｐｌｉｎｋ  Ｓｈａｒｅｄ  Ｃｈａｎｎｅｌ）にマッピングされる。ＰＵＳＣＨ上に送信されるアップリンクデータは、ＴＴＩ中に送信されるＵＬ−ＳＣＨのためのデータブロックであるトランスポートブロック（ｔｒａｎｓｐｏｒｔｂｌｏｃｋ）である。前記トランスポートブロックはユーザ情報である。または、アップリンクデータは多重化された（ｍｕｌｔｉｐｌｅｘｅｄ）データである。多重化されたデータは、ＵＬ−ＳＣＨのためのトランスポートブロックと制御情報が多重化されたものである。例えば、データに多重化される制御情報には、ＣＱＩ、ＰＭＩ（Ｐｒｅｃｏｄｉｎｇ  Ｍａｔｒｉｘ  Ｉｎｄｉｃａｔｏｒ）、ＨＡＲＱ、ＲＩ（Ｒａｎｋ  Ｉｎｄｉｃａｔｏｒ）などがある。または、アップリンクデータは制御情報のみで構成されることもできる。
【００４７】
参照信号は、一般的にシーケンスで送信される。参照信号シーケンスは、特別な制限無しに任意のシーケンスが使われることができる。参照信号シーケンスは、ＰＳＫ（Ｐｈａｓｅ  Ｓｈｉｆｔ  Ｋｅｙｉｎｇ）ベースのコンピュータを介して生成されたシーケンス（ＰＳＫ−ｂａｓｅｄ  ｃｏｍｐｕｔｅｒ  ｇｅｎｅｒａｔｅｄ  ｓｅｑｕｅｎｃｅ）を使用することができる。ＰＳＫの例には、ＢＰＳＫ（Ｂｉｎａｒｙ  Ｐｈａｓｅ  Ｓｈｉｆｔ  Ｋｅｙｉｎｇ）、ＱＰＳＫ（Ｑｕａｄｒａｔｕｒｅ  Ｐｈａｓｅ  Ｓｈｉｆｔ  Ｋｅｙｉｎｇ）などがある。または、参照信号シーケンスは、ＣＡＺＡＣ（Ｃｏｎｓｔａｎｔ  Ａｍｐｌｉｔｕｄｅ  Ｚｅｒｏ  Ａｕｔｏ−Ｃｏｒｒｅｌａｔｉｏｎ）シーケンスを使用することができる。ＣＡＺＡＣシーケンスの例には、ＺＣ（Ｚａｄｏｆｆ−Ｃｈｕ）ベースのシーケンス（ＺＣ−ｂａｓｅｄ  ｓｅｑｕｅｎｃｅ）、循環拡張（ｃｙｃｌｉｃ  ｅｘｔｅｎｓｉｏｎ）されたＺＣシーケンス（ＺＣ  ｓｅｑｕｅｎｃｅ  ｗｉｔｈ  ｃｙｃｌｉｃ  ｅｘｔｅｎｓｉｏｎ）、切断（ｔｒｕｎｃａｔｉｏｎ）ＺＣシーケンス（ＺＣ  ｓｅｑｕｅｎｃｅ  ｗｉｔｈ  ｔｒｕｎｃａｔｉｏｎ）などがある。または、参照信号シーケンスは、ＰＮ（ｐｓｅｕｄｏ−ｒａｎｄｏｍ）シーケンスを使用することができる。ＰＮシーケンスの例には、ｍ−シーケンス、コンピュータを介して生成されたシーケンス、ゴールド（Ｇｏｌｄ）シーケンス、カサミ（Ｋａｓａｍｉ）シーケンスなどがある。また、参照信号シーケンスは、循環シフトされたシーケンス（ｃｙｃｌｉｃａｌｌｙ  ｓｈｉｆｔｅｄ  ｓｅｑｕｅｎｃｅ）を用いることができる。
【００４８】
参照信号は、セル特定参照信号（ＣＲＳ；ｃｅｌｌ−ｓｐｅｃｉｆｉｃ  ＲＳ）、ＭＢＳＦＮ参照信号、端末特定参照信号（ＵＥ−ｓｐｅｃｉｆｉｃ  ＲＳ）、及びポジショニング参照信号（ＰＲＳ；Ｐｏｓｉｔｉｏｎｉｎｇ  ＲＳ）に区分されることができる。ＣＲＳは、セル内の全ての端末に送信される参照信号であり、チャネル推定に使われる。ＭＢＳＦＮ参照信号は、ＭＢＳＦＮ送信のために割り当てられたサブフレームで送信されることができる。端末特定参照信号は、セル内の特定端末または特定端末グループが受信する参照信号であり、専用参照信号（ＤＲＳ；Ｄｅｄｉｃａｔｅｄ  ＲＳ）と呼ばれることもある。ＤＲＳは、特定端末または特定端末グループのデータ復調に主に使われる。
【００４９】
まず、ＣＲＳに対して説明する。
【００５０】
図７乃至図９は、ＣＲＳ構造の一例を示す。図７は、基地局が一つのアンテナを使用する場合、図８は、基地局が２個のアンテナを使用する場合、図９は、基地局が４個のアンテナを使用する場合のＣＲＳ構造の一例を示す。これは３ＧＰＰ  ＴＳ  ３６．２１１  Ｖ８．２．０（２００８−０３）の６．１０．１節を参照することができる。また、前記のＣＲＳ構造は、３ＧＰＰ  ＬＴＥ−Ａの特徴をサポートするために使われることもできる。例えば、協力的多重地点（ＣｏＭＰ；Ｃｏｏｒｄｉｎａｔｅｄ  Ｍｕｌｔｉ−Ｐｏｉｎｔ）送信受信技法または空間多重化（ｓｐａｔｉａｌ  ｍｕｌｔｉｐｌｅｘｉｎｇ）などの特徴をサポートするために使われることができる。また、ＣＲＳは、チャネル品質測定、ＣＰ検出、時間／周波数同期化などの用途で使われることができる。
【００５１】
図７乃至図９を参照すると、基地局が複数のアンテナを使用する多重アンテナ送信の場合、アンテナ毎に一つのリソースグリッドがある。‘Ｒ０’は第１のアンテナに対する参照信号を示し、‘Ｒ１’は第２のアンテナに対する参照信号を示し、‘Ｒ２’は第３のアンテナに対する参照信号を示し、‘Ｒ３’は第４のアンテナに対する参照信号を示す。Ｒ０乃至Ｒ３のサブフレーム内の位置は互いに重複されない。lは、スロット内のＯＦＤＭシンボルの位置であり、ノーマルＣＰで０〜６の値を有する。一つのＯＦＤＭシンボルで各アンテナに対する参照信号は６副搬送波間隔に位置する。サブフレーム内のＲ０の数とＲ１の数は同じであり、Ｒ２の数とＲ３の数は同じである。サブフレーム内のＲ２、Ｒ３の数は、Ｒ０、Ｒ１の数より少ない。一アンテナの参照信号に使われたリソース要素は他のアンテナの参照信号に使われない。アンテナ間干渉を与えないためである。
【００５２】
ＣＲＳは、ストリームの個数に関係無しに常にアンテナの個数ほど送信される。ＣＲＳは、アンテナ毎に独立的な参照信号を有する。ＣＲＳのサブフレーム内の周波数領域の位置及び時間領域の位置は、端末に関係無しに定められる。ＣＲＳにかけられるＣＲＳシーケンスも端末に関係無しに生成される。従って、セル内の全ての端末はＣＲＳを受信することができる。ただし、ＣＲＳのサブフレーム内の位置及びＣＲＳシーケンスは、セルＩＤに応じて定められることができる。ＣＲＳのサブフレーム内の時間領域の位置は、アンテナの番号、リソースブロック内のＯＦＤＭシンボルの個数に応じて定められることができる。ＣＲＳのサブフレーム内の周波数領域の位置は、アンテナの番号、セルＩＤ、ＯＦＤＭシンボルインデックス（l）、無線フレーム内のスロット番号などによって定められることができる。
【００５３】
ＣＲＳシーケンスは、一つのサブフレーム内のＯＦＤＭシンボル単位に適用されることができる。ＣＲＳシーケンスは、セルＩＤ、一つの無線フレーム内のスロット番号、スロット内のＯＦＤＭシンボルインデックス、ＣＰの種類などによって変わることができる。一つのＯＦＤＭシンボル上で各アンテナ別参照信号副搬送波の個数は２個である。サブフレームが周波数領域でＮＲＢ個のリソースブロックを含むとする時、一つのＯＦＤＭシンボル上で各アンテナ別参照信号副搬送波の個数は２×ＮＲＢである。従って、ＣＲＳシーケンスの長さは２×ＮＲＢになる。
【００５４】
数式２は、ＣＲＳシーケンスｒ（ｍ）の一例を示す。
【００５５】
【数２】
0005886747.tif 000010
ここで、ｍは０，１，．．．，２ＮＲＢｍａｘ−１である。２ＮＲＢｍａｘは最大帯域幅に該当するリソースブロックの個数である。例えば、３ＧＰＰ  ＬＴＥにおける２ＮＲＢｍａｘは１１０である。ｃ（ｉ）は、ＰＮシーケンスであり、疑似任意シーケンスであり、長さ−３１のゴールド（Ｇｏｌｄ）シーケンスにより定義されることができる。数式３は、ゴールドシーケンスｃ（ｎ）の一例を示す。
【００５６】
【数３】
0005886747.tif 000011
ここで、Ｎｃ＝１６００であり、ｘ１（ｉ）は第１のｍ−シーケンスであり、ｘ２（ｉ）は第２のｍ−シーケンスである。例えば、第１のｍ−シーケンスまたは第２のｍ−シーケンスは、ＯＦＤＭシンボル毎にセルＩＤ、一つの無線フレーム内のスロット番号、スロット内のＯＦＤＭシンボルインデックス、ＣＰの種類などによって初期化（ｉｎｉｔｉａｌｉｚａｔｉｏｎ）されることができる。
【００５７】
２ＮＲＢｍａｘより小さい帯域幅を有するシステムの場合、２×２ＮＲＢｍａｘ長さに生成された参照信号シーケンスで２×ＮＲＢ長さに一定部分のみを選択して使用することができる。
【００５８】
一方、ＣＲＳは、３ＧＰＰ  ＬＴＥ−Ａでチャネル状態情報（ＣＳＩ；Ｃｈａｎｎｅｌ  Ｓｔａｔｅ  Ｉｎｆｏｒｍａｔｉｏｎ）の推定のために使われることができる。ＣＳＩの推定のための参照信号をＣＳＩ−ＲＳ（ＣＳＩ  Ｒｅｆｅｒｅｎｃｅ  Ｓｉｇｎａｌ）ということができる。ＣＳＩ−ＲＳは、周波数領域または時間領域で比較的稀に（ｓｐａｒｓｅ）配置され、一般サブフレームまたはＭＢＳＦＮ（Ｍｕｌｔｉｍｅｄｉａ  Ｂｒｏａｄｃａｓｔ  ａｎｄ  ｍｕｌｔｉｃａｓｔ  Ｓｉｎｇｌｅ  Ｆｒｅｑｕｅｎｃｙ  Ｎｅｔｗｏｒｋ）サブフレームのデータ領域では省略（ｐｕｎｃｔｕｒｅｄ）されることができる。ＣＳＩの推定を介し、必要な場合、チャネル品質指示子（ＣＱＩ；Ｃｈａｎｎｅｌ  Ｑｕａｌｉｔｙ  Ｉｎｄｉｃａｔｏｒ）、プリコーディング行列指示子（ＰＭＩ；Ｐｒｅｃｏｄｉｎｇ  Ｍａｔｒｉｘ  Ｉｎｄｉｃａｔｏｒ）、及びランク指示子（ＲＩ；Ｒａｎｋ  Ｉｎｄｉｃａｔｏｒ）などが端末から報告されることができる。
【００５９】
次に、ＤＲＳに対して説明する。
【００６０】
図１０及び図１１は、ＤＲＳ構造の一例を示す。図１０は、ノーマルＣＰにおけるＤＲＳ構造の一例を示す。ノーマルＣＰにおけるサブフレームは、１４ＯＦＤＭシンボルを含む。‘Ｒ５’はＤＲＳを送信するアンテナの参照信号を示す。参照シンボルを含む一つのＯＦＤＭシンボル上で参照副搬送波は４副搬送波間隔に位置する。図１１は、拡張ＣＰにおけるＤＲＳ構造の例を示す。拡張ＣＰにおけるサブフレームは、１２ＯＦＤＭシンボルを含む。一つのＯＦＤＭシンボル上で参照信号副搬送波は３副搬送波間隔に位置する。これは３ＧＰＰ  ＴＳ  ３６．２１１  Ｖ８．２．０（２００８−０３）の６．１０．３節を参照することができる。
【００６１】
ＤＲＳのサブフレーム内の周波数領域の位置及び時間領域の位置は、ＰＤＳＣＨ送信のために割り当てられたリソースブロックによって定められることができる。ＤＲＳシーケンスは端末ＩＤによって定められることができ、前記端末ＩＤに該当する特定端末のみがＤＲＳを受信することができる。
【００６２】
ＤＲＳシーケンスも数式２及び３により得られることができる。ただし、数式２のｍはＮＲＢＰＤＳＣＨにより定められる。ＮＲＢＰＤＳＣＨはＰＤＳＣＨ送信に対応する帯域幅に該当するリソースブロックの個数である。ＮＲＢＰＤＳＣＨによってＤＲＳシーケンスの長さが変わることができる。即ち、端末が割当を受けるデータ量に応じてＤＲＳシーケンスの長さが変わることができる。数式２の第１のｍ−シーケンス（ｘ１（ｉ））または第２のｍ−シーケンス（ｘ２（ｉ））は、サブフレーム毎にセルＩＤ、一つの無線フレーム内のサブフレームの位置、端末ＩＤなどによって初期化されることができる。
【００６３】
ＤＲＳシーケンスは、サブフレーム毎に生成され、ＯＦＤＭシンボル単位に適用されることができる。一つのサブフレーム内で、リソースブロック当たり参照信号副搬送波の個数は１２個であり、リソースブロックの個数はＮＲＢＰＤＳＣＨと仮定する。全体参照信号副搬送波の個数は１２×ＮＲＢＰＤＳＣＨである。従って、ＤＲＳシーケンスの長さは１２×ＮＲＢＰＤＳＣＨになる。数式２を用いてＤＲＳシーケンスを生成する場合、ｍは０，１，．．．，１２ＮＲＢＰＤＳＣＨ−１である。ＤＲＳシーケンスは順に参照シンボルにマッピングされる。まず、ＤＲＳシーケンスは、一つのＯＦＤＭシンボルで副搬送波インデックスの昇順に参照シンボルにマッピングされた後、次のＯＦＤＭシンボルにマッピングされる。
【００６４】
また、ＣＲＳはＤＲＳと同時に使われることができる。例えば、サブフレーム内の第１のスロットの３ＯＦＤＭシンボル（l＝０，１，２）を介して制御情報が送信されると仮定する。ＯＦＤＭシンボルインデックスが０、１、２（l＝０，１，２）であるＯＦＤＭシンボルではＣＲＳを使用し、３個ＯＦＤＭシンボルを除いた残りのＯＦＤＭシンボルではＤＲＳを使用することができる。この時、予め定義されたシーケンスをセル別ダウンリンク参照信号にかけて送信することによって、受信機で隣接セルから受信される参照信号の干渉を減少させ、チャネル推定の性能を向上させることができる。前記予め定義されたシーケンスは、ＰＮシーケンス、ｍ−シーケンス、ウォルシュアダマール（Ｗａｌｓｈ−ｈａｄａｍａｒｄ）シーケンス、ＺＣシーケンス、ＧＣＬシーケンス、ＣＡＺＡＣシーケンスなどのうちいずれか一つである。前記予め定義されたシーケンスは、一つのサブフレーム内のＯＦＤＭシンボル単位に適用が可能であり、また、セルＩＤ、サブフレーム番号、ＯＦＤＭシンボルの位置、端末ＩＤなどによって他のシーケンスが適用されることができる。
【００６５】
一方、３ＧＰＰ  ＬＴＥ−ＡにおけるＤＲＳは、ＰＤＳＣＨ復調に使われることができる。ビーム形成のために使われる３ＧＰＰ  ＬＴＥ  ｒｅｌ−８のＤＲＳが複数のレイヤに拡張されつつ、３ＧＰＰ  ＬＴＥ−ＡでＰＤＳＣＨ復調に使われることができる。この時、ＰＤＳＣＨとＤＲＳは同じプリコーディング動作にすることができる。ＤＲＳは、基地局によりスケジューリングされたリソースブロックまたは階層（ｌａｙｅｒ）でのみ送信されることができ、各階層間には互いに直交性（ｏｒｔｈｏｇｏｎａｌｉｔｙ）を維持する。
【００６６】
図１２は、３ＧＰＰ  ＬＴＥ−Ａにおける端末特定参照信号構造の一例である。
【００６７】
図１２を参照すると、拡張ＣＰ構造のサブフレームで２個のアンテナポート（Ｒ７、Ｒ８）に対する端末特定参照信号が送信される。３ＧＰＰ  ＬＴＥ−Ａにおける端末特定参照信号は、最大２個のアンテナポートをサポートすることができる。アンテナポート７に対する端末特定参照信号は、５番目及び６番目のＯＦＤＭシンボルの２番目、５番目、８番目及び１１番目の副搬送波に該当するリソース要素と、１１番目及び１２番目のＯＦＤＭシンボルの１番目、４番目、７番目及び１０番目の副搬送波に該当するリソース要素と、で送信される。同様に、アンテナポート８に対する端末特定参照信号も５番目及び６番目のＯＦＤＭシンボルの２番目、５番目、８番目及び１１番目の副搬送波に該当するリソース要素と、１１番目及び１２番目のＯＦＤＭシンボルの１番目、４番目、７番目及び１０番目の副搬送波に該当するリソース要素と、で送信される。即ち、アンテナポート７及び８に対する端末特定参照信号は、同じリソース要素にマッピングされて送信されることができる。この時、各アンテナポートに対する参照信号シーケンスに互いに異なる直交シーケンスがかけられて送信されることができる。例えば、隣接したＯＦＤＭシンボルにマッピングされたアンテナポート７に対する参照信号シーケンスに長さ２である直交シーケンスである［＋１  ＋１］がかけられることができる。また、隣接したＯＦＤＭシンボルにマッピングされたアンテナポート８に対する参照信号シーケンスに長さ２である直交シーケンスである［−１  ＋１］がかけられることができる。前記直交シーケンスは、ウォルシュ（Ｗａｌｓｈ）コード、ＤＦＴ（Ｄｉｓｃｒｅｔｅ  Ｆｏｕｒｉｅｒ  Ｔｒａｎｓｆｏｒｍ）係数またはＣＡＺＡＣシーケンスなど、多様な種類の直交シーケンスのうちいずれか一つである。
【００６８】
３ＧＰＰ  ＬＴＥ  ｒｅｌ−８のＣＲＳと各アンテナポートに対する端末特定参照信号外にチャネル状態を推定または測定するために使われる３ＧＰＰ  ＬＴＥ−ＡのためのＣＳＩ−ＲＳが追加にリソースブロックにマッピングされて送信されることができる。ＣＳＩ−ＲＳは、ＣＲＳまたは端末特定参照信号がマッピングされたリソース要素と重ならないようにマッピングされることができる。ＣＳＩ−ＲＳは、各アンテナポート別に送信されることができる。
【００６９】
一方、拡張ＣＰ構造を有するサブフレームでアンテナポート２及び３のためのＣＲＳが送信されないことがある。即ち、図９のＣＲＳ構造より図８のＣＲＳ構造が使われることができる。拡張ＣＰ構造におけるサブフレームは、１２個のＯＦＤＭシンボルで構成されるため、足りない無線リソースを効率的に活用するためである。これによって、アンテナポート２及び３のＣＲＳが送信されるＯＦＤＭシンボルをＣＳＩ−ＲＳまたは他の参照信号のために割り当てることができ、またはデータに割り当てることもできる。
【００７０】
以下、実施例を介して提案された参照信号送信方法を説明する。本発明では３ＧＰＰ  ＬＴＥ  ｒｅｌ−８のアンテナポート２及び３の参照信号が送信されない時、ＣＳＩ−ＲＳがマッピングされる多様な参照信号パターンが提案される。本発明では拡張ＣＰ構造を有するサブフレームを例示しているが、本発明は、ノーマルＣＰ構造を有するサブフレームにも同一に適用されることができる。本発明で提案される参照信号パターンで、横軸は時間領域またはＯＦＤＭシンボル（ＯＦＤＭシンボルインデックス０乃至１１）を示し、縦軸は周波数領域または副搬送波（副搬送波インデックス０乃至１１）を示す。また、Ｒ０及びＲ１は、アンテナポート０及び１に対する３ＧＰＰ  ＬＴＥ  ｒｅｌ−８のＣＲＳを示す。前記Ｒ０及びＲ１は、図８のＣＲＳ構造によってマッピングされる。Ｄ１乃至Ｄ４は、４個のアンテナポートの端末特定参照信号（以下、ＤＲＳという）を示す。４個のアンテナポートのＤＲＳが２個ずつ対になってＣＤＭ方式に多重化されて送信されることができる。ＤＲＳは、図１２の端末特定参照信号構造によってリソースブロックにマッピングされて送信されることができ、または図１２の端末特定参照信号構造を周波数軸にシフトしたパターンによってリソースブロックにマッピングされて送信されることもできる。
【００７１】
図１３は、提案された発明によるＣＳＩ−ＲＳパターンの一例である。
【００７２】
図１３を参照すると、ＣＳＩ−ＲＳがマッピングされることができるリソース要素であり、３ＧＰＰ  ＬＴＥ  ｒｅｌ−８のＣＲＳ及びＤＲＳがマッピングされないリソース要素が使われることができる。最大８個のアンテナポートをサポートするために８個のリソース要素がＣＳＩ−ＲＳ送信に使われることができる。ＣＳＩ−ＲＳがマッピングされることができるリソース要素は、８個が１個のリソース要素セットを構成し、総５個のリソース要素セットである。第１のセットは、ＤＲＳがマッピングされるＯＦＤＭシンボルである５番目及び６番目のＯＦＤＭシンボルの１番目、４番目、７番目及び１０番目の副搬送波に該当するリソース要素を含むことができる。第２のセット乃至第４のセットは、８番目及び９番目のＯＦＤＭシンボルを占め、このうち、第２のセットは、１番目、４番目、７番目及び１０番目の副搬送波に該当するリソース要素を含み、第３のセットは、２番目、５番目、８番目及び１１番目の副搬送波に該当するリソース要素を含み、第４のセットは、３番目、６番目、９番目及び１２番目の副搬送波に該当するリソース要素を含む。第５のセットは、ＤＲＳがマッピングされるＯＦＤＭシンボルである１１番目及び１２番目のＯＦＤＭシンボルの３番目、６番目、９番目及び１２番目の副搬送波に該当するリソース要素を含むことができる。各リソース要素セットを構成するリソース要素で最大８個のアンテナポートに対するＣＳＩ−ＲＳが送信される。各リソース要素セット内で各アンテナポートのＣＳＩ−ＲＳがマッピングされるリソース要素の位置は変わることができ、また、サブフレーム別に各々異なるリソース要素セットにＣＳＩ−ＲＳがマッピングされて送信されることができる。基地局は、第１のセット乃至第５のセットの中からいずれか一つを選択し、該当リソース要素セットを構成するリソース要素にＣＳＩ−ＲＳをマッピングすることができる。この時、選択されるセットは、セルＩＤ（ｃｅｌｌ  ＩＤ）に基づいて選択されることができ、例えば、（ｃｅｌｌ  ＩＤ  ｍｏｄ  ５）＋１の数式により選択されることができる。
【００７３】
図１４は、提案された発明によるＣＳＩ−ＲＳパターンの他の例である。
【００７４】
図１４を参照すると、図１３と同様に構成されたリソース要素セットにＣＳＩ−ＲＳがマッピングされて送信されるが、８個のアンテナポートに対するＣＳＩ−ＲＳが２個ずつ対になって時間領域でＣＤＭ方式に多重化される。第１のセットに含まれるリソース要素のうち、１番目の副搬送波に含まれるリソース要素に第１のアンテナポートと第２のアンテナポートに対するＣＳＩ−ＲＳがマッピングされることができる。第１のアンテナポートと第２のアンテナポートに対するＣＳＩ−ＲＳは、長さ２である直交シーケンスを用いて時間領域でＣＤＭ方式に多重化されることができる。ＣＳＩ−ＲＳが時間領域でＣＤＭ方式に多重化されるため、ＣＤＭ−Ｔ（ｔｉｍｅ）方式に多重化されるということができる。同様に、第１のセットに含まれるリソース要素のうち、４番目の副搬送波に含まれるリソース要素に第３のアンテナポートと第４のアンテナポートに対するＣＳＩ−ＲＳが時間領域でＣＤＭ方式に多重化されてマッピングされることができる。また、７番目の副搬送波に含まれるリソース要素に第５のアンテナポートと第６のアンテナポートに対するＣＳＩ−ＲＳが、１０番目の副搬送波に含まれるリソース要素に第７のアンテナポートと第８のアンテナポートに対するＣＳＩ−ＲＳが、時間領域でＣＤＭ方式に多重化されてマッピングされることができる。同じ副搬送波内でＣＤＭ方式に多重化されるアンテナポートのＣＳＩ−ＲＳは、本例に限定されず、多様な組合せで構成されて多重化されることができる。各リソース要素セット内で各アンテナポートのＣＳＩ−ＲＳがマッピングされるリソース要素の位置は変わることができ、また、サブフレーム別に各々異なるリソース要素セットにＣＳＩ−ＲＳがマッピングされて送信されることができる。基地局は、第１のセット乃至第５のセットの中からいずれか一つを選択し、該当リソース要素セットを構成するリソース要素にＣＳＩ−ＲＳをマッピングすることができる。この時、選択されるセットは、セルＩＤに基づいて選択されることができ、例えば、（ｃｅｌｌ  ＩＤ  ｍｏｄ  ５）＋１の数式により選択されることができる。
【００７５】
一方、端末特定参照信号がｒａｎｋ−２までサポートすることができる。即ち、４個のアンテナポートに対するＤＲＳが送信されず、２個のアンテナポートに対するＤＲＳのみが送信されることができる。この時、レイヤ３及び４の端末特定参照信号のために割り当てられたリソース要素がＣＳＩ−ＲＳに割り当てられることができ、これによって、ＣＳＩ−ＲＳがマッピングされることができるリソース要素セットの個数が増加することができる。
【００７６】
図１５は、提案された発明によるＣＳＩ−ＲＳパターンの他の例である。
【００７７】
図１５のＣＳＩ−ＲＳパターンは、図１３のＣＳＩ−ＲＳパターンでレイヤ３及び４の端末特定参照信号のために割り当てられたリソース要素がＣＳＩ−ＲＳのために追加に第６のセット及び第７のセットで割り当てられたものである。第６のセットは、ＤＲＳがマッピングされるＯＦＤＭシンボルである５番目及び６番目のＯＦＤＭシンボルの３番目、６番目、９番目及び１２番目の副搬送波に該当するリソース要素を含むことができる。第７のセットは、ＤＲＳがマッピングされるＯＦＤＭシンボルである１１番目及び１２番目のＯＦＤＭシンボルの２番目、５番目、８番目及び１１番目の副搬送波に該当するリソース要素を含むことができる。これによって、基地局がＣＳＩ−ＲＳを送信するために選択することができるリソース要素セットの個数が増加し、マルチセル環境でのＣＳＩ−ＲＳに対するセル間干渉（ＩＣＩ；Ｉｎｔｅｒ−Ｃｅｌｌ  Ｉｎｔｅｒｆｅｒｅｎｃｅ）を防止してチャネル推定の性能を向上させることができる。各リソース要素セットを構成するリソース要素で最大８個のアンテナポートに対するＣＳＩ−ＲＳが送信される。各リソース要素セット内で各アンテナポートのＣＳＩ−ＲＳがマッピングされるリソース要素の位置は変わることができ、また、サブフレーム別に各々異なるリソース要素セットにＣＳＩ−ＲＳがマッピングされて送信されることができる。基地局は、第１のセット乃至第７のセットの中からいずれか一つを選択し、該当リソース要素セットを構成するリソース要素にＣＳＩ−ＲＳをマッピングすることができる。この時、選択されるセットは、セルＩＤに基づいて選択されることができ、例えば、（ｃｅｌｌ  ＩＤ  ｍｏｄ  ７）＋１の数式により選択されることができる。
【００７８】
図１６は、提案された発明によるＣＳＩ−ＲＳパターンの他の例である。図１６を参照すると、図１５と同様に構成されたリソース要素セットにＣＳＩ−ＲＳがマッピングされて送信されるが、８個のアンテナポートに対するＣＳＩ−ＲＳが２個ずつ対になって時間領域でＣＤＭ方式に多重化される。第１のセットに含まれるリソース要素のうち、１番目の副搬送波に含まれるリソース要素に第１のアンテナポートと第２のアンテナポートに対するＣＳＩ−ＲＳがマッピングされることができる。第１のアンテナポートと第２のアンテナポートに対するＣＳＩ−ＲＳは、長さ２である直交シーケンスを用いて時間領域でＣＤＭ方式に多重化されることができる。ＣＳＩ−ＲＳが時間領域でＣＤＭ方式に多重化されるため、ＣＤＭ−Ｔ方式に多重化されるということができる。同様に、第１のセットに含まれるリソース要素のうち、４番目の副搬送波に含まれるリソース要素に第３のアンテナポートと第４のアンテナポートに対するＣＳＩ−ＲＳが時間領域でＣＤＭ方式に多重化されてマッピングされることができる。また、７番目の副搬送波に含まれるリソース要素に第５のアンテナポートと第６のアンテナポートに対するＣＳＩ−ＲＳが、１０番目の副搬送波に含まれるリソース要素に第７のアンテナポートと第８のアンテナポートに対するＣＳＩ−ＲＳが、時間領域でＣＤＭ方式に多重化されてマッピングされることができる。同じ副搬送波内でＣＤＭ方式に多重化されるアンテナポートのＣＳＩ−ＲＳは、本例に限定されず、多様な組合せで構成されて多重化されることができる。各リソース要素セット内で各アンテナポートのＣＳＩ−ＲＳがマッピングされるリソース要素の位置は変わることができ、また、サブフレーム別に各々異なるリソース要素セットにＣＳＩ−ＲＳがマッピングされて送信されることができる。基地局は、第１のセット乃至第７のセットの中からいずれか一つを選択し、該当リソース要素セットを構成するリソース要素にＣＳＩ−ＲＳをマッピングすることができる。この時、選択されるセットは、セルＩＤに基づいて選択されることができ、例えば、（ｃｅｌｌ  ＩＤ  ｍｏｄ  ７）＋１の数式により選択されることができる。
【００７９】
図１７は、提案された参照信号送信方法の一実施例である。
【００８０】
ステップＳ１００で、基地局は複数のレイヤの各々に対する複数のＣＳＩ−ＲＳを生成する。ステップＳ１１０で、基地局は前記複数のＣＳＩ−ＲＳをリソースブロックにマッピングする。複数のＣＳＩ−ＲＳがマッピングされるリソースブロック内のリソース要素は、３ＧＰＰ  ＬＴＥ  ｒｅｌ−８のＣＲＳ及び端末特定参照信号がマッピングされないリソース要素であり、前記複数のＣＳＩ−ＲＳは、ＣＤＭ−Ｔ方式に多重化されてマッピングされることができる。ステップＳ１２０で、基地局は前記ＣＳＩ−ＲＳがマッピングされたリソースブロックを送信する。
【００８１】
図１８は、提案されたチャネル推定方法の一実施例である。
【００８２】
ステップＳ２００で、端末は基地局から複数のレイヤの各々に対する複数の参照信号を受信する。前記複数の参照信号は、３ＧＰＰ  ＬＴＥ−ＡのＣＳＩ−ＲＳである。ステップＳ２１０で、端末は前記複数の参照信号を処理してチャネル推定を実行する。前記複数の参照信号がマッピングされるリソースブロック内のリソース要素は、３ＧＰＰ  ＬＴＥ  ｒｅｌ−８のＣＲＳ及び端末特定参照信号がマッピングされないリソース要素であり、前記複数のＣＳＩ−ＲＳは、ＣＤＭ−Ｔ方式に多重化されてマッピングされることができる。
【００８３】
図１９は、本発明の実施例が具現される基地局及び端末を示すブロック図である。
【００８４】
基地局８００は、プロセッサ（ｐｒｏｃｅｓｓｏｒ）８１０、メモリ（ｍｅｍｏｒｙ）８２０、及びＲＦ部（Ｒａｄｉｏ  Ｆｒｅｑｕｅｎｃｙ  ｕｎｉｔ）８３０を含む。プロセッサ８１０は、提案された機能、過程及び／または方法を具現する。プロセッサ８１０は、複数のレイヤの各々に対する複数のＣＳＩ−ＲＳを生成し、前記複数のＣＳＩ−ＲＳをリソースブロックにマッピングする。複数のＣＳＩ−ＲＳがマッピングされるリソースブロック内のリソース要素は、３ＧＰＰ  ＬＴＥ  ｒｅｌ−８のＣＲＳ及び端末特定参照信号がマッピングされないリソース要素であり、前記複数のＣＳＩ−ＲＳは、ＣＤＭ−Ｔ方式に多重化されてマッピングされることができる。前記複数のＣＳＩ−ＲＳは、図１３乃至図１６の参照信号パターンによってマッピングされることができる。無線インターフェースプロトコルの階層は、プロセッサ８１０により具現されることができる。メモリ８２０は、プロセッサ８１０と連結され、プロセッサ８１０を駆動するための多様な情報を格納する。ＲＦ部８３０は、プロセッサ８１０と連結され、無線信号を送信及び／または受信し、前記複数のＣＳＩ−ＲＳがマッピングされたリソースブロックを送信する。
【００８５】
端末９００は、プロセッサ９１０、メモリ９２０、及びＲＦ部９３０を含む。ＲＦ部９３０は、プロセッサ９１０と連結され、無線信号を送信及び／または受信し、複数の参照信号を受信する。前記複数の参照信号は、３ＧＰＰ  ＬＴＥ−ＡのＣＳＩ−ＲＳである。プロセッサ９１０は、提案された機能、過程及び／または方法を具現する。プロセッサ９１０は、前記複数の参照信号を処理してチャネル推定を実行する。無線インターフェースプロトコルの階層は、プロセッサ９１０により具現されることができる。メモリ９２０は、プロセッサ９１０と連結され、プロセッサ９１０を駆動するための多様な情報を格納する。
【００８６】
プロセッサ８１０、９１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリ８２０、９２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。ＲＦ部８３０、９３０は、無線信号を処理するためのベースバンド回路を含むことができる。実施例がソフトウェアで具現される時、前述した技法は、前述した機能を遂行するモジュール（過程、機能など）で具現されることができる。モジュールは、メモリ８２０、９２０に格納され、プロセッサ８１０、９１０により実行されることができる。メモリ８２０、９２０は、プロセッサ８１０、９１０の内部または外部にあり、よく知られた多様な手段でプロセッサ８１０、９１０と連結されることができる。
【００８７】
前述した例示的なシステムで、方法は一連のステップまたはブロックで順序図に基づいて説明されているが、本発明は、ステップの順序に限定されるものではなく、あるステップは、前述と異なるステップと異なる順序にまたは同時に発生することができる。また、当業者であれば、順序図に示すステップが排他的ではなく、他のステップが含まれたり、或いは順序図の一つまたはその以上のステップが本発明の範囲に影響を及ぼさずに削除可能であることを理解することができる。
【００８８】
前述した実施例は、多様な態様の例示を含む。多様な態様を示すための全ての可能な組合わせを記述することはできないが、該当技術分野の通常の知識を有する者は、他の組合わせが可能であることを認識することができる。従って、本発明は、特許請求の範囲内に属する全ての交替、修正及び変更を含む。
【図１】
0005886747.tif 000012
【図２】
0005886747.tif 000013
【図３】
0005886747.tif 000014
【図４】
0005886747.tif 000015
【図５】
0005886747.tif 000016
【図６】
0005886747.tif 000017
【図７】
0005886747.tif 000018
【図８】
0005886747.tif 000019
【図９】
0005886747.tif 000020
【図１０】
0005886747.tif 000021
【図１１】
0005886747.tif 000022
【図１２】
0005886747.tif 000023
【図１３】
0005886747.tif 000024
【図１４】
0005886747.tif 000025
【図１５】
0005886747.tif 000026
【図１６】
0005886747.tif 000027
【図１７】
0005886747.tif 000028
【図１８】
0005886747.tif 000029
【図１９】
0005886747.tif 000030